(57)【要約】【課題】  オフィス環境におけるダイレクト印刷機能の利便性を向上させる。【解決手段】  ダイレクト印刷機能において、記録媒体挿入時のＵＩ遷移の可否を、ユーザによる設定状況を鑑みて判断する。【選択図】  図１
2008307706.tif 000002
【特許請求の範囲】
【請求項１】
記憶媒体の挿入を受付ける受付け手段と、
前記受付け手段で記憶媒体の挿入を受付けると、表示画面の情報が第１の情報であるか第２の情報であるか判定する判定手段と、
前記判定手段で表示画面の情報が前記第１の情報であると判定された場合に、前記表示画面の情報を遷移させるように制御し、
前記判定手段で表示画面の情報が前記第２の情報であると判定された場合に、前記表示画面の情報を遷移させないように制御する制御手段を有する、
ことを特徴とする画像処理装置。
【請求項２】
請求項１に記載の画像処理装置であって
前記第１の表示画面の情報とは、初期画面の情報であり、
前記第２の表示画面の情報とは、前記初期画面の情報以外の情報である、
ことを特徴とする画像処理装置。
【請求項３】
請求項１に記載の画像処理装置であって、
前記画像処理装置は第１の機能群と第２の機能群を判別するための機能群設定手段を有する画像処理装置であり、
前記第１の表示画面の情報とは、第１の機能群の使用を示す情報であり、
前記第２の表示画面の情報とは、第２の機能群の使用を示す情報である、
ことを特徴とする画像処理装置。
【請求項４】
請求項３に記載の画像処理装置であって、
前記第１の機能群とは、前記記憶媒体が排他的に書き込み先もしくは読み取り元となりうる機能を使用している場合の情報であり、
前記第２の機能群とは、前記記憶媒体が排他的に書き込み先もしくは読み取り元となりうる機能を使用している場合の情報以外の情報である、
ことを特徴とする画像処理装置。
【請求項５】
請求項３又は請求項４に記載の画像処理装置であって、
前記機能群設定手段は、
前記第１の機能群と前記第２の機能群とを、ユーザインタフェース手段を介して、予めオペレータにより指定可能にする、
ことを特徴とする画像処理装置。
【請求項６】
記憶媒体の挿入を受付ける受付け手段と、
ユーザからの指示に基づいて印刷設定を行う印刷設定手段と、
前記受付け手段で記憶媒体の挿入を受付けると、前記印刷設定手段で特定の印刷設定がなされているか否か判定する判定手段と、
前記判定手段で特定の印刷設定がなされていないと判定された場合に、前記表示画面の情報を遷移させるように制御し、
前記判定手段で特定の印刷設定がなされていると判定された場合に、前記表示画面の情報を遷移させないように制御する制御手段を有する、
ことを特徴とする画像処理装置。
【請求項７】
請求項６に記載の画像処理装置であって、
前記制御手段は、
時間に関わる特定の条件を満足する場合に、
前記表示画面の情報を遷移させることを許可し、
且つ、前記制御手段は、
前記特定の条件を満足しない場合に、
前記表示画面の情報を遷移させることを禁止する、
ことを特徴とする画像処理装置。
【請求項８】
請求項１乃至請求項７の何れかに記載の画像処理装置であって、
前記表示画面の情報と、前記印刷設定とは一対一に対応している、
ことを特徴とする画像処理装置。
【請求項９】
請求項１乃至請求項８の何れかに記載の画像処理装置であって、
前記画像処理装置は、
前記制御手段が前記表示画面の情報を遷移させないように制御すると同時に、前記表示画面に画面遷移の制御に関する情報を表示する、
ことを特徴とする画像処理装置。
【請求項１０】
請求項１乃至請求項９の何れかに記載の画像処理装置であって、
前記画像処理装置は、
前記挿入された記憶媒体に記憶された画像を読み取る画像読み取り手段を有し、
前記制御手段が前記表示画面の情報を遷移させないように制御すると同時に、前記画像読み取り手段は画像の読み取りを行う、
ことを特徴とする画像処理装置。
【請求項１１】
請求項１乃至請求項１０の何れかに記載の画像処理装置であって、
前記画像処理装置は、
前記挿入された記憶媒体の種別を判断可能な記憶媒体判別手段を有し、
前記制御手段は、
前記記憶媒体判別手段で挿入された記憶媒体が第１の記憶媒体であると判別された場合に、前記表示画面の情報を遷移させるように制御し、
前記記憶媒体判別手段で挿入された記憶媒体が第２の記憶媒体であると判別された場合に、前記表示画面の情報を遷移させないように制御する、
ことを特徴とする画像処理装置。
【請求項１２】
請求項１１に記載の画像処理装置であって、
前記画像処理装置は、
前記挿入された記憶媒体に記憶された画像を読み取る画像読み取り手段を有し、
前記記憶媒体判別手段で挿入された記憶媒体が第２の記憶媒体であると判別された場合に、前記制御手段は前記表示画面の情報を遷移させないように制御すると同時に、前記画像読み取り手段は画像の読み取りを禁止する、
ことを特徴とする画像処理装置。
【請求項１３】
請求項１乃至請求項１２の何れかに記載の画像処理装置であって、
前記画像処理装置は、
前記挿入された記憶媒体に記憶された画像を読み取る画像読み取り手段を有し、
前記記憶媒体判別手段で挿入された記憶媒体が第１の記憶媒体であると判別された場合に、前記制御手段は前記表示画面の情報を遷移するように制御すると同時に、前記画像読み取り手段は画像の読み取りを開始する、
ことを特徴とする画像処理装置。
【発明の詳細な説明】
【技術分野】
【０００１】
本発明は、複数の機能画面を有する画像処理装置の画面遷移方法ならびに画像処理装置に関するものである。
【背景技術】
【０００２】
オフィス環境では複数のユーザが同時に画像処理装置を利用している。そして、種々のユーザの多様なニーズに応じて、画像処理装置には次々と機能が追加され進化を続けている。多数ある機能の中には、携帯型の外部記憶装置を用いた機能を有するものも多く存在する。具体的には、スキャナによりスキャンした文書の文書データをＵＳＢメモリに格納する機能がある。また、挿入されたメモリカードに格納された画像を読み出して印刷する機能（以下、ダイレクト印刷）も存在する。ここでいうメモリカードとは、デジタルカメラ画像の記憶装置として扱われることが多い、これにより、ユーザはＰＣを介さずとも、メモリカード内に格納された画像を印刷することが可能となる。
【０００３】
上述のダイレクト印刷において、従来、メモリカードを挿入すると同時に、ダイレクト印刷機能の画面に遷移させている。もし、自動的な画面遷移が行われないと、機能を利用するにあたって、ユーザ自身がダイレクト印刷機能のモードに移行させる必要が生じる。ユーザはメモリカードを挿入すれば直ちに機能を利用することが可能であり、利便性の向上につながっている。
【０００４】
また、多くの画像処理装置において、記憶装置内のどの画像を印刷するのかをユーザが印刷時に選択するためにサムネイル画像を生成している。サムネイル画像の生成に関して、利用頻度の高いデータを事前に取得しておいたり、画像データの生成処理を画像データ格納時に並列に行ったりする技術が存在し、これらの技術は続いて行われる処理の完了を早めることに助力している。
【特許文献１】特開２００２−１３５６７６号公報
【特許文献２】特開２００３−２０８４２８号公報
【発明の開示】
【発明が解決しようとする課題】
【０００５】
しかしながら、上記従来の画像処理装置において、ダイレクト印刷機能を利用するユーザの前に画像処理装置のその他の機能を使用するユーザがいた場合、先に使用していたユーザの利便性を損なう弊害が生じていた。具体的には、多くのユーザが利用している中で、次のような状況が考えられる。あるユーザが画像処理装置を利用している際に他のユーザがメモリカードを挿入すると、自動的にダイレクト印刷機能の画面への遷移が行われる。この場合、前のユーザが入力していた設定は取り消されてしまい、強制的に後から来たユーザが使用する機能の画面に移行してしまうことになる。このように、メモリカードの挿入に応じてダイレクト機能画面への遷移を行わないと、カードダイレクト機能を利用しようとするユーザにとっての利便性を損なってしまう。一方、メモリカードの挿入に応じてダイレクト機能画面への遷移を自動的に行うと、先に使用している前ユーザがいた場合、該前ユーザの印刷設定は無効になってしまうという弊害が生じていた。
【０００６】
そこで、本発明は、上記課題に鑑みてなされたものであり、多数のユーザが同一の画像処理装置を利用するオフィス環境を想定し、ダイレクト印刷機能の利便性を向上する仕組みを提供できるようにする。
【課題を解決するための手段】
【０００７】
上記目的の為、本発明の請求項１に記載の画像処理装置は、次の特徴を有する。記憶媒体の挿入を受付けると、表示画面の情報を判定し、判定結果によって表示画面の情報を遷移させるか否かを決定する制御手段を有する。
【０００８】
本発明の請求項６に記載の画像処理装置は、次の特徴を有する。記憶媒体の挿入を受付けると、特定の印刷設定がなされているか否かを判定し、判定結果によって表示画面の情報を遷移させるか否かを決定する制御手段を有する。
【発明の効果】
【０００９】
本発明によれば、従来で想定したような課題に対処し、以下のような画像処理装置を提供することができる。具体的には、多くのユーザが画像処理装置を利用する環境において、ダイレクト印刷機能を利用するユーザの前にその他の機能を使用するユーザの利便性を確保した上で、ダイレクト印刷機能を利用するユーザの利便性も損なわない。
【発明を実施するための最良の形態】
【００１０】
次に、本発明の詳細を実施例の記述に従って説明する。
【実施例１】
【００１１】
本発明の一実施例として、画像処理装置は次の動作を行う。ユーザインタフェースの設定の有無によってダイレクト印刷機能への画面遷移の実行を決定する。本実施例においては、記憶装置に格納された画像の先行読み出しを行う。
【００１２】
以下、図面を参照して本発明の実施形態を詳細に説明する。
【００１３】
図１は本発明に係る電子部品としてのコントローラ部が搭載された画像入出力装置（データ処理装置）の一実施の形態を示すブロック構成図である。画像処理装置１００は、イーサネット（登録商標）等のＬＡＮ６００にてホストコンピュータ（図１では第一のホストコンピュータ６０１、第二のホストコンピュータ６０２）に接続されている。尚、ＬＡＮはＬｏｃａｌ  Ａｒｅａ  Ｎｅｔｗｏｒｋを意味する。
【００１４】
上記画像処理装置１００は、リーダ装置（リーダ部）２００、プリンタ装置（プリンタ部）３００、操作部１５０、画像記憶部１６０、及びこれら各構成要素に接続され該構成要素を制御する単一の電子部品からなる制御装置（コントローラ部）１１０で構成される。リーダ装置（リーダ部）２００は、画像データの読取処理を行う。プリンタ装置（プリンタ部）３００は、画像データの出力処理を行う。操作部１５０は、画像データの入出力操作を行うキーボード、及び画像データや各種機能の表示／設定などを行う液晶パネルを備える。画像記憶部１６０は、リーダ装置２００を制御して読み込んだ画像データや、ＬＡＮ６００を介してホストコンピュータ６０１、６０２より受信したコードデータから生成される画像データを格納／保存できる。
【００１５】
リーダ装置２００は、原稿用紙を搬送する原稿給紙ユニット２５０と、原稿画像を光学的に読み取って電気信号としての画像データに変換するスキャナユニット２１０とを有する。プリンタ装置３００は、給紙ユニット３１０と、マーキングユニット(部)３２０と、排紙ユニット（部）３３０とを有している。給紙ユニット３１０は、記録用紙を収容する複数段の給紙カセットを備える。マーキングユニット(部)３２０は、画像データを記録用紙に転写／定着する。また、排紙ユニット（部）３３０は、印字された記録用紙にソート処理やステイプル処理を施し、外部に排出する。
【００１６】
制御装置１１０は、リーダ部２００を制御して、原稿の画像データを読込み、プリンタ部３００を制御して画像データを記録用紙に出力してコピー機能を提供する。また、リーダ部２００から読取った画像データを、コードデータに変換し、ネットワーク６００を介してホストコンピュータ６０１，６０２へ送信するスキャナ機能を有している。さらには、ホストコンピュータからネットワーク６００を介して受信したコードデータを画像データに変換し、プリンタ部３００に出力するプリンタ機能、その他の機能ブロックを有している。
【００１７】
図２は画像処理装置の内部構成図で、リーダ部２００及びプリンタ部３００の詳細を示している。
【００１８】
リーダ部２００では原稿給送ユニット２５０に積層された原稿用紙がその積層順に従って、先頭から順次１枚ずつプラテンガラス２１１上へ給送される。そして、スキャナユニット２１０で所定の読み取り動作が終了した後、読み取られた原稿用紙は、プラテンガラス２１１上の原稿を排出トレイ２１９に排出される。また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ(以下「ＣＣＤ」と記す)２１８へ導かれ、走査された原稿画像はＣＣＤ２１８によって読み取られる。ＣＣＤ２１８で読み取られた画像データは、所定の処理が施された後、コントローラユニット１１０に転送される。
【００１９】
原稿給送ユニット２５０が原稿流し読み機能を有している場合、原稿給送部２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成する。生成した画像データは、コントローラユニット１１０に転送される。
【００２０】
次いで、プリンタ部３００では、コントローラ部１１０から出力された画像データに対応するレーザ光が、レーザドライバ３２１により駆動されるレーザ発行部３２２から発行される。感光ドラム３２３にはレーザ光に応じた静電潜像が形成され、現像器３２４により前記静電潜像の部分に現像剤が付着される。
【００２１】
一方、レーザ光の照射開始と同期したタイミングで、カセット３１１、カセット３１２、カセット３１３、カセット３１４、手差し給紙段３１５のいずれかから記録用紙が給紙される。給紙された記録用紙は、転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙ビン３２８に排出される。印字面を反転して排紙ビン３２８に排出する場合には、搬送路３３６、搬送路３３８まで導かれ、そこから記録紙を逆方向に搬送し、搬送路３３７、搬送路３３４を通り、排紙ビン３２８に排出される。図に記していないが、排紙ビンの変わりに、排紙ユニットを装着することが可能で、排紙ユニットは排出された記録用紙を束ねて記録用紙の仕分け、仕分けされた記録用紙のステイプル処理などを行うことができる。
【００２２】
また、画像データを記録用紙に両面記録する場合は、まず、定着部３２７を通過したあと、記録紙は、搬送路３３６からフラッパ３２９によって搬送路３３３に導かる。その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００２３】
図３は、図１に示したコントローラ部（コントロールユニット）１１０の詳細を説明するブロック図であり、図１と同一のものには同一の符号を付してある。図３において、１１０はコントローラ部で、コントローラ部１１０は画像入力デバイスであるリーダ部２００や、画像出力デバイスであるプリンタ部３００と接続し、一方ではＬＡＮ６００や公衆回線（ＷＡＮ）６５０と接続する。このようにして、画像情報やデバイス情報の入出力が行われる。
【００２４】
１１１はＣＰＵでシステム全体を制御するコントローラである。１１２はＲＡＭで、ＣＰＵ１１１が動作するためのシステムワークメモリであり、画像データを一時記憶するための画像メモリでもある。１１３はＲＯＭで、ブートＲＯＭとして機能し、システムのブートプログラムが格納されている。１６０はハードディスクドライブ（ＨＤＤ）で、システムソフトウェアや画像データなどを格納することができる。１１４は共有フォルダで、ＬＡＮ６００上に接続されたホストコンピュータ（別図６０１、６０２）と記憶領域を共有し、各々が読み書き可能なデータファイルを保持することが可能である。１１６は操作部Ｉ／Ｆで、操作部１５０とのインタフェース部として機能し、操作部１５０に表示する画像データを操作部１５０に対して出力する。また、操作部１５０から本システム使用者が入力した情報をＣＰＵ１１１に伝える役割をする。１２０はネットワーク（Ｎｅｔｗｏｒｋ）で、ＬＡＮ６００に接続し、情報の入出力が行われる。１２１はモデム（Ｍｏｄｅｍ）で、公衆回線（ＷＡＮ）６５０に接続し、情報の入出力が行われる。以上のデバイスがシステムバス１１７上に配置される。１１５はイメージバスＩ／Ｆ（Ｉｍａｇｅ  Ｂｕｓ  Ｉ／Ｆ）で、システムバス１１７と画像データを高速で転送する画像バス１１８を接続し、データ構造を変換するバスブリッジである。１１８は画像バスで、ＰＣＩバスまたはＩＥＥＥ１３９４で構成される。画像バス１１８上には以下のデバイスが配置される。１２３はラスタイメージプロセッサ（ＲＩＰ）で、ＰＤＬコードをビットマップイメージに展開する。１２４は画像圧縮部で、多値画像データはＪＰＥＧ、２値画像データはＪＢＩＧ、ＭＭＲ、ＭＨの圧縮伸長処理を行う。１２５はデバイスＩ／Ｆ部で、画像入出力デバイスであるリーダ部２００やプリンタ部３００とコントローラ部１１０を接続し、画像データの同期系／非同期系の変換を行う。１２６はスキャナ画像処理部で、入力画像データに対し補正、加工、編集を行う。１２７はプリンタ画像処理部で、プリント出力画像データに対して、プリンタの補正、解像度変換等を行う。１２８は画像回転部で、画像データの回転を行う。１２２はＩＣカードスロットで、ＩＣカードメディアによるユーザ認証を行う。このユーザ認証によりジョブ実行時のユーザを特定する。また、ＩＣカードメディアを挿入した後に適切なＰＩＮ（Ｐｅｒｓｏｎａｌ  Ｉｄｅｎｔｉｆｉｅｒ  Ｎｕｍｂｅｒ）コードを入力することにより、暗号・復号に用いる鍵の入出力を行うことが可能となる。１３０は暗号・復号処理部で、ＩＣカードスロット１２２の鍵やデバイス固有の鍵を用いてデータの暗号化・複合化処理を行うハードウェアアクセラレータボードである。１３１はＯＣＲ／ＯＭＲ処理部で、画像データに含まれる文字情報や２次元バーコードを解読して文字コード化する処理を行う。
【００２５】
［本画像処理装置１００のＵＩ部の１例に該当する操作部１５０の構成］
図４等を用いて、画像処理装置１００が具備するユーザインタフェース部（以下、ＵＩ部と呼ぶ）の一例に該当する操作部１５０について説明する。
【００２６】
図４に示すように、操作部１５０は、ハードキーによるユーザ操作を受付け可能なキー入力部４０２、ソフトキー（表示キー）によるユーザ操作を受付可能な表示ユニットの一例としてのタッチパネル部４０１を、有する。
【００２７】
図５に示すように、操作部１５０は、操作部電源スイッチ５０１を具備する。該スイッチ５０１のユーザ操作に応答し、制御部１１０は、スタンバイモード（通常動作状態）とスリープモード（ネットワーク印刷やファクシミリに備えて割り込み待ち状態でプログラムを停止して、消費電力を抑えている状態）を選択的に切換るよう制御する。制御部１１０は、該スイッチ５０１のユーザ操作を、システム全体の電源供給を行う主電源スイッチ（不図示）がＯＮ状態にて、受付可能に制御する。また、操作部１５０は、カードＩ／Ｆ１７０、及び外部メディアＩ／Ｆ１７１を具備する。カードＩ／Ｆ１７０で挿入を受付可能なカードは、例として一般にデジタルカメラの撮影画像を記憶しておく記憶装置である。一方外部メディアＩ／Ｆ１７１は、例えば、ＵＳＢメモリの挿入を受付可能である。これらの外部記憶装置を用いて、スキャンした画像を該外部記憶装置に格納したり、既に外部記憶装置に格納されている画像を読み出して印刷したり、送信したりする機能を実現可能となる。
【００２８】
スタートキー５０３は、処理対象となるジョブのコピー動作や送信動作等、ユーザにより指示された種類のジョブ処理を印刷装置に開始させる指示をユーザから受付可能にする為のキーである。ストップキー５０２は、受付けたジョブの処理を印刷装置に中断させる指示をユーザから受付可能にする為のキーである。テンキー５０６は、各種設定の置数の設定をユーザにより実行可能にする為のキーである。クリアキー５０７は、キー５０６を介してユーザにより設定された置数等の各種パラメータを解除するためのキーである。リセットキー５０４は、ユーザにより処理対象のジョブに対して設定された各種設定を全て無効にし、且つ、設定値をデフォルト状態に戻す指示をユーザから受付ける為のキーである。ユーザモードキー５０５は、ユーザごとのシステム設定画面に移行するためのキーである。
【００２９】
本発明における一実施例の処理の流れを、図６のフローチャートを用いて説明する。
【００３０】
まず、ステップＳ１０００１において、ＣａｒｄＩ／Ｆ１７０もしくは、外部メモリＩ／Ｆ１７１に、記憶媒体が挿入されるところからフローチャートは始まる。
【００３１】
ステップＳ１０００２において、画像処理装置１００は、Ｓ１０００１において挿入された記憶媒体が、画面遷移の対象とされている記憶媒体か否かを判断する。記憶媒体が画面遷移の対象であると判断した場合、ステップＳ１０００３に進む。記憶媒体が画面遷移の対象ではないと判断した場合、画像処理装置１００はダイレクト印刷機能への画面遷移を実行せず、また、サムネイル作成のための記憶画像の読み出しも実行せずにフローチャートを抜ける。すなわち、例えば画像処理装置１００におけるジョブで、記憶媒体が画像データの格納先として扱われる可能性がある場合には、自動的にダイレクト印刷機能への遷移を行わない。これにより意図しない機能の画面に遷移してしまうことでかえって利便性を損なうことを防止する効果を有する。
【００３２】
ステップＳ１０００３において、画像処理装置１００は、記憶媒体に格納された画像データを先行読み出しし、サムネイルの作成を行う。そして、ステップＳ１０００４に進む。
【００３３】
ステップＳ１０００４において、画像処理装置１００はＵＩにおけるユーザの設定がなされているか否かの判断を行う。ユーザによる設定がなされていると判断した場合、ステップＳ１０００５に進む。ユーザによる設定がなされていないと判断した場合、ステップＳ１０００８に進む。
【００３４】
ステップＳ１０００５において、実行中のジョブが存在せず、且つ、ステップＳ１０００４で判断したユーザによる設定がなされてから、予め決められた時間が経過しているか否かの判断を行う。そして、実行中のジョブが存在せず、且つ、一定時間が経過していると判断した場合、ダイレクト印刷機能が利用可能であると判断し、ステップＳ１０００９に進む。ジョブが実行中である、もしくは、一定時間が経過していないと判断した場合、ステップＳ１０００６に進む。
【００３５】
ステップＳ１０００６において、画像処理装置１００は、他機能使用中のため、ダイレクト印刷機能に移行しない旨のメッセージをＵＩ１５０に通知する。図７はＵＩのメッセージ通知の一例を示した図である。
【００３６】
ステップＳ１０００７において、画像処理装置１００は、ジョブが終了したか否かの判断を行う。ジョブが終了したと判断した場合、すなわち、ダイレクト印刷機能が利用可能と判断し、Ｓ１００１０に進む。ジョブが終了していないと判断した場合、ステップＳ１０００４に戻り、ＵＩの設定が一定時間変更されないダイレクト印刷機能が利用可能になることを待つ。
【００３７】
ステップＳ１０００８において、ＵＩのユーザによる設定が初期化された後、予め決められた時間が経過しているか否かの判断を行う。予め決められた一定時間が経過していると判断した場合、ダイレクト印刷機能が利用可能であると判断し、ステップＳ１０００９に進む。予め決められた一定時間が経過していないと判断した場合、ステップＳ１０００６に進む。この処理は、例えば、先に利用しているユーザがまだ操作を終えていない状態で自動的に画面が遷移してしまうことを防ぐ。すなわち、リセットキー５０４を押下し、一旦設定を初期化してから、再度設定を入力するまでの間に、ＣａｒｄＩ／Ｆ１７０、もしくは、外部メモリＩ／Ｆ１７１に記憶媒体が挿入された場合において、一定時間の猶予を設ける。
【００３８】
ステップＳ１０００９において、画像処理装置１００はダイレクト印刷機能への画面遷移を行う。このとき、ユーザに提示するサムネイルは、ステップＳ１０００３において、読み出した記憶画像から作成される。
【００３９】
以上の例示が如くの本実施形態の印刷システム１０００により奏することが可能な効果を以下に例示する。
【００４０】
従来で想定したような課題に対処し、以下のような画像処理装置を提供することができる。例えば、多くのユーザが画像処理装置を利用する環境において、ダイレクト印刷機能を利用するユーザの前に画像処理装置のその他の機能を使用するユーザの利便性を確保した上で、ダイレクト印刷機能を利用するユーザの利便性も損なわない。
【図面の簡単な説明】
【００４１】
【図１】本形態で制御対象となる画像処理装置１００を含む印刷環境１００００の全体構成例を説明する為の図である。
【図２】本形態で制御対象となる画像処理装置１００の構成例を説明する為の図である。
【図３】本形態で制御対象となる画像処理装置１００の構成例を説明する為の図である。
【図４】本形態で制御対象となるＵＩ部の１例を説明する為の図である。
【図５】本形態で制御対象となるＵＩ部の１例を説明する為の図である。
【図６】本形態で制御対象となる画像処理装置１００の記憶媒体挿入時における処理を説明する図である。
【図７】本形態で制御対象となるＵＩ部に対する表示制御例を説明する為の図である。
【符号の説明】
【００４２】
１００  画像処理装置
１１０  コントローラユニット（制御装置）
１１１  ＣＰＵ
１１２  ＲＡＭ
１１３  ＲＯＭ
１５０  操作部
１７０  カードＩ／Ｆ
１７１  外部メモリＩ／Ｆ
２００  スキャナ
３００  プリンタ
１０００  印刷環境
【図１】
2008307706.tif 000003
【図２】
2008307706.tif 000004
【図３】
2008307706.tif 000005
【図４】
2008307706.tif 000006
【図５】
2008307706.tif 000007
【図６】
2008307706.tif 000008
【図７】
2008307706.tif 000009